(57)【特許請求の範囲】
【請求項１】
屋外に設置される外枠内に、バーナ部及び該バーナ部の燃焼で、内方の熱媒体が加熱される暖房用熱交缶体と、該暖房用熱交缶体内に給湯用熱交換器を備え、給水を加熱された熱媒体で間接加熱して給湯を行う給湯回路と、暖房用熱交缶体内に風呂用熱交換器を備え、浴湯を加熱された熱媒体で間接加熱して追焚を行う風呂回路とを備えたものに於いて、前記外枠内面には断熱材が貼り付けられ、中央を上記機能部品を有した機能室とすると共に、下方を配管室及び上方を排気室として上下方向に３分割した事を特徴とする温水暖房付き風呂釜内蔵給湯機。
【発明の詳細な説明】
【０００１】
【発明の属する技術分野】
この発明は、１台で温水暖房や給湯、風呂の追焚きを行う１缶３水路方式の温水暖房付き風呂釜内蔵給湯機に関するものである。
【０００２】
【従来の技術】
従来よりこの種のものに於いては、どうしても器具本体が大型化するので屋外に設置されるものであり、又屋外設置であると冬期間に配管の凍結が予測される為、器具本体全体をボイラーハウスなどに収納して凍結を防止するものであった。
【０００３】
【発明が解決しようとする課題】
ところでこの従来のものでは、特別にボイラーハウスまで必要であり、この為に設置スペースが大きくなり、マンションやアパートと言った集合住宅には使用することが出来ないと言う使用制限が生じたり、勿論ボイラーハウス分コストも高価となる問題点を有するものであった。
【０００４】
【課題を解決するための手段】
この発明はこの点に着目し上記欠点を解決する為、特にその構成を、屋外に設置される外枠内に、バーナ部及び該バーナ部の燃焼で、内方の熱媒体が加熱される暖房用熱交缶体と、該暖房用熱交缶体内に給湯用熱交換器を備え、給水を加熱された熱媒体で間接加熱して給湯を行う給湯回路と、暖房用熱交缶体内に風呂用熱交換器を備え、浴湯を加熱された熱媒体で間接加熱して追焚を行う風呂回路とを備えたものに於いて、前記外枠内面には断熱材が貼り付けられ、中央を上記機能部品を有した機能室とすると共に、下方を配管室及び上方を排気室として上下方向に３分割したものである。
【０００５】
【発明の実施の形態】
外枠１内面には断熱材５が貼り付けられ、更に中央を各機能部品が備えられた機能室２８とし、下方には室内の機器と配管接続する為の配管室３７を形成し、上方には燃焼空気を吸引すると共に排気ガスを放出する給排気筒４１を備えた排気室４２を形成し、外枠１を上下方向に３分割構成としたので、３分割した各室の内容積が極力小さくなることと、断熱材５による保温効果とが相まって、冬期間は暖房運転が２４時間継続されることで、外枠１内は凍結温度以上に確実に保温され、ボイラーハウスが不用となり、設置場所が自由となって使用の制限なくなって、使用範囲が広がると共に、コストも安価で済むものである。
【０００６】
【実施例】
次にこの発明に係る温水暖房付き風呂釜内蔵給湯機を図面に示す一実施例で説明する。
１は給湯、風呂の追焚き、温水暖房の各機能を備え屋外に設置される給湯機の外枠で、内方には石油気化式のバーナ部２と、該バーナ部２の燃焼で内部に財溜した温水等の熱は媒体を加熱する暖房用熱交缶体３と、制御用のプリント基板４等が内蔵されていると共に、この外枠１内面には、ロックウール吸音板等の建物の不燃材として使用されている断熱材５が貼り付けられ内方の保温効果を高めているものである。
【０００７】
６は暖房用熱交缶体３内に備えられた給湯用熱交換器で、給水サーミスタ７や給水フローセンサー８が備えられた給水管９を介して、水道直圧で流入する給水を熱媒体と熱交換させ、膨張吸収器１０やミキシング弁１１及び水比例弁１２や給湯サーミスタ１３を備えた給湯管１４を介して、各所に給湯する給湯回路を構成したものである。
【０００８】
１５は暖房用熱交缶体３内で給湯用熱交換器６より下方に備えられた風呂用熱交換器で、圧力センサ１６及び風呂用ポンプ１７及び風呂フローセンサー１８を有した風呂戻り管１９から流入する浴槽水を、熱媒体との熱交換で昇温し風呂往き管２０を介して浴槽（図示せず）に戻し、順次この循環を繰り返すことで浴槽水の追焚きを行う風呂回路を構成するものである。
【０００９】
２１は暖房用熱交缶体３と屋内に設置した放熱器（図示せず）とを連結する循環回路で、缶体３上部から引き出された暖房往き管２２と、缶体３下部に接続され途中には暖房用ポンプ２３を備えた暖房戻り管２４とで構成されている。
【００１０】
２５は暖房用熱交缶体３の上下を連通する連通管で、途中には撹拌ポンプ２６を備え、缶体３内の上下の温度差をなくし均一にするものである。
【００１１】
２７は下仕切板２８と上仕切板２９で仕切られ上記の各機能部品を収納する機能室で、下仕切板２８下方を機能室２７より内容積が小さく、給湯用接続口３０、３１、風呂用接続口３２、３３、暖房用接続具口３４、３５を備え、この中で配管接続する為の配管室３６とし、更に上仕切板２９上方を配管室３６より内容積が小さく、暖房用熱缶体３上方に連通し排気がこの排気を行う排気管３７と、屋外から燃焼空気を吸引しバーナ部２の燃焼ファン３８に供給する給気管３９を２重筒構造とした給排気筒４０を備える排気室４１とを形成している。
【００１２】
４２は給湯管１４から分岐し三方弁４３を介して風呂戻り管１９に接続した湯張り回路で、途中には湯張り電磁弁４４及び湯張りフローセンサ４５を備え、給湯回路を介して風呂の湯張りも容易に行えるようにしたものである。
【００１３】
次にこの発明一実施例の動作について説明する。
図２に示すように配管室３６で各配管が接続された状態で、今給湯或いは風呂追焚きや暖房の要求があれば、バーナ部２が燃焼開始して暖房用熱交換缶体３内の熱媒体が加熱され、給湯用熱交換器６を流通する給水が加熱され給湯管１４を介して給湯が行われ、風呂用熱交換器１５に風呂ポンプ１７の駆動で浴槽水を循環させれば風呂の追焚きが行われるものであり、又循環回路２１の暖房用ポンプ２３を駆動させれば、暖房用熱交缶体３内の熱媒体がそのまま循環して、放熱器を介して温水暖房が行われるものである。
【００１４】
従って、１台の給湯機で給湯は勿論、風呂の追焚き及び温水暖房と３つの機能を有するもので、消スペースであると共に、コストパフォーマンスも有効であり、使用勝手も良いものである。
【００１５】
又、外枠１内面には断熱材５が貼り付けられ、更に中央を各機能部品が備えられた機能室２８とし、下方には室内の機器と配管接続する為の配管室３６を形成し、上方には燃焼空気を吸引すると共に排気ガスを放出する給排気筒４０を備えた排気室４１を形成し、外枠１を上下方向に３分割構成としたので、３分割した各室の内容積が極力小さくなることと、断熱材５による保温効果とが相まって、冬期間は暖房運転が２４時間継続されることで、外枠１内は凍結温度以上に確実に保温され、ボイラーハウスが不用となり、設置場所が自由となって使用の制限なくなって、使用範囲が広がると共に、コストも安価で済むものである。
【００１６】
【発明の効果】
以上のようにこの発明によれば、保温効果が極めて高くボイラーハウスを使用しなくても冬期間の凍結の心配はななく安心して使用出来ると共に、設置スペースも小さくてすみ、従来設置出来なかったマンションやアパートのベランダにも容易に設置出来、使用場所の制限をなくすことが出来、しかもボイラーハウスが不用であるからコストも安価で済むと言う種々の効果を有するものである。
【図面の簡単な説明】
【図１】この発明一実施例を付した給湯機を示す概略構成図。
【図２】同配管室の正面図。
【符号の説明】
１  外枠
２  バーナ部
３  暖房用熱交缶体
５  断熱材
６  給湯用熱交換器
１５  風呂用熱交換器
２７  機能室
３６  配管室
４０  給排気筒
４１  排気室
【図１】
0003863341.tif 000002
【図２】
0003863341.tif 000003